(57)【要約】【課題】  グループメンバのプレゼンス状態の組み合わせをトリガーにしてプレゼンスサービスを開始することができるプレゼンス情報提供システム、その方法、およびサーバを提供する。【解決手段】  端末１０は、プレゼンスサーバ２０のグループ通話開始条件表２２１を編集し、プレゼンスサーバ２０は、各端末１０からプレゼンス状態を受信してプレゼンス状態管理表２１１に反映し、プレゼンス状態管理表２１１とグループ通話開始条件表２２１を照会して自動でのグループ通話開始条件を満たした場合、グループ通話発信対象となるユーザの端末を呼び出すようグループ通話制御部２３へグループ通話開始指示信号を送信する。【選択図】  図１
2006119885.tif 000002
【特許請求の範囲】
【請求項１】
複数の端末と、ネットワークを介して接続されているプレゼンスサーバを含むプレゼンス情報提供システムであって、
前記端末は、ユーザのプレゼンス状態を前記プレゼンスサーバのプレゼンス状態管理手段へ送信する送信手段と、
前記プレゼンスサーバのプレゼンスサービス開始条件記憶手段のプレゼンスサービス開始条件表を編集して各グループメンバのプレゼンス状態がいかなる組み合わせになったときに自動的にプレゼンスサービスを開始するかの条件を設定する条件設定手段と、を備え、
前記プレゼンスサーバは、
各グループメンバのプレゼンス状態がどのような組み合わせになったときに自動的にプレゼンスサービスを開始するかの条件を記憶する前記プレゼンスサービス開始条件表を有する前記プレゼンスサービス開始条件記憶手段を備え、
各ユーザのプレゼンス状態を管理するプレゼンス状態管理表を有し、各端末からプレゼンス状態を受信して前記プレゼンス状態管理表に反映し、前記プレゼンス状態管理表と前記プレゼンスサービス開始条件記憶手段が有するプレゼンスサービス開始条件表を照会して自動でのプレゼンスサービス開始条件を満たした場合、プレゼンスサービスの対象となるユーザの端末においてプレゼンスサービスを開始することを特徴とするプレゼンス情報提供システム。
【請求項２】
ユーザの端末および／またはグループ通話主催者の端末がパケット通信網経由で前記プレゼンスサービス開始条件記憶手段へアクセスして前記プレゼンスサービス開始条件表を編集することを特徴とする請求項１記載のプレゼンス情報提供システム。
【請求項３】
前記プレゼンス状態管理手段は、ユーザの端末からのプレゼンス状態変更の通知をトリガーにして、前記プレゼンス状態管理表と前記プレゼンスサービス開始条件表を照会することを特徴とする請求項１または２記載のプレゼンス情報提供システム。
【請求項４】
前記プレゼンスサービス開始条件表にプレゼンスサービス開始時刻を設定し、プレゼンスサービス開始時刻になると前記プレゼンスサービス開始条件記憶手段が、プレゼンス状態管理手段へプレゼンスサービス開始条件を満たしたことを通知することを特徴とする請求項１から３のいずれか１項に記載のプレゼンス情報提供システム。
【請求項５】
複数の端末と、ネットワークを介して接続されているプレゼンスサーバを含むプレゼンス情報提供システムであって、
前記端末は、ユーザのプレゼンス状態を前記プレゼンスサーバのプレゼンス状態管理手段へ送信する送信手段と、
前記プレゼンスサーバのグループ通話開始条件記憶手段のグループ通話開始条件表を編集して各グループメンバのプレゼンス状態がいかなる組み合わせになったときに自動的にグループ通話を開始するかの条件を設定する条件設定手段と、を備え、
前記プレゼンスサーバは、グループ通話中に発言ユーザの端末から音声を受信して非発言ユーザの端末へ送信するグループ通話制御手段と、
各グループメンバのプレゼンス状態がどのような組み合わせになったときに自動的にグループ通話を開始するかの条件を記憶する前記グループ通話開始条件表を有する前記グループ通話開始条件記憶手段と、
各ユーザのプレゼンス状態を管理するプレゼンス状態管理表を有し、各端末からプレゼンス状態を受信して前記プレゼンス状態管理表に反映し、前記プレゼンス状態管理表と前記グループ通話開始条件記憶手段が有するグループ通話開始条件表を照会して自動でのグループ通話開始条件を満たした場合、前記グループ通話制御手段へグループ通話開始指示信号を送信する前記プレゼンス状態管理手段と、を備え、
前記グループ通話制御手段は、前記プレゼンス状態管理手段からグループ通話開始指示信号を受信するとグループ通話発信対象となるユーザの端末を呼び出してグループ通話を開始することを特徴とするプレゼンス情報提供システム。
【請求項６】
ユーザの端末および／またはグループ通話主催者の端末がパケット通信網経由で前記グループ通話開始条件記憶手段へアクセスして前記グループ通話開始条件表を編集することを特徴とする請求項５記載のプレゼンス情報提供システム。
【請求項７】
前記プレゼンス状態管理手段は、ユーザの端末からのプレゼンス状態変更の通知をトリガーにして、前記プレゼンス状態管理表と前記グループ通話開始条件表を照会することを特徴とする請求項５または６記載のプレゼンス情報提供システム。
【請求項８】
前記プレゼンス状態管理手段が、前記プレゼンス状態管理表と前記グループ通話開始条件表を照会する際に、グループ通話発信対象の条件に当てはまるユーザを選定し、前記グループ通話開始指示信号に前記グループ通話発信対象ユーザの情報を含ませて送信することを特徴とする請求項５から７のいずれか１項に記載のプレゼンス情報提供システム。
【請求項９】
前記グループ通話開始条件表にグループ通話開始時刻を設定し、グループ通話開始時刻になると前記グループ通話開始条件記憶手段が、プレゼンス状態管理手段へグループ通話開始条件を満たしたことを通知することを特徴とする請求項５、６または８記載のプレゼンス情報提供システム。
【請求項１０】
複数の端末と、ネットワークを介して接続されているプレゼンスサーバを利用したプレゼンス情報提供方法であって、
前記端末が、送信手段によって、ユーザのプレゼンス状態を前記プレゼンスサーバのプレゼンス状態管理手段へ送信するステップと、
条件設定手段によって、前記プレゼンスサーバのプレゼンスサービス開始条件記憶手段のプレゼンスサービス開始条件表を編集して各グループメンバのプレゼンス状態がいかなる組み合わせになったときに自動的にプレゼンスサービスを開始するかの条件を設定するステップと、を有し、
前記プレゼンスサーバが、前記プレゼンスサービス開始条件記憶手段によって、各グループメンバのプレゼンス状態がどのような組み合わせになったときに自動的にグループ通話を開始するかの条件を前記プレゼンスサービス開始条件表に記憶するステップを有し、
前記プレゼンスサーバが、前記プレゼンス状態管理手段によって、各端末からプレゼンス状態を受信して各ユーザのプレゼンス状態を管理する前記プレゼンス状態管理表に反映し、前記プレゼンス状態管理表と前記プレゼンスサービス開始条件記憶手段が有するプレゼンスサービス開始条件表を照会して自動でのプレゼンスサービス開始条件を満たした場合、プレゼンスサービスの対象となるユーザの端末においてプレゼンスサービスを開始することを特徴とするプレゼンス情報提供方法。
【請求項１１】
複数の端末と、ネットワークを介して接続されているプレゼンスサーバを利用したプレゼンス情報提供方法であって、
前記端末が、送信手段によって、ユーザのプレゼンス状態を前記プレゼンスサーバのプレゼンス状態管理手段へ送信するステップと、
条件設定手段によって、前記プレゼンスサーバのグループ通話開始条件記憶手段のグループ通話開始条件表を編集して各グループメンバのプレゼンス状態がいかなる組み合わせになったときに自動的にグループ通話を開始するかの条件を設定するステップと、を有し、
前記プレゼンスサーバが、前記グループ通話開始条件記憶手段によって、各グループメンバのプレゼンス状態がどのような組み合わせになったときに自動的にグループ通話を開始するかの条件を前記グループ通話開始条件表に記憶するステップと、
前記プレゼンス状態管理手段によって、各端末からプレゼンス状態を受信して各ユーザのプレゼンス状態を管理する前記プレゼンス状態管理表に反映し、前記プレゼンス状態管理表と前記グループ通話開始条件記憶手段が有するグループ通話開始条件表を照会して自動でのグループ通話開始条件を満たした場合、前記グループ通話制御手段へグループ通話開始指示信号を送信するステップと、を有し、
前記グループ通話制御手段は、前記プレゼンス状態管理手段からグループ通話開始指示信号を受信するとグループ通話発信対象となるユーザの端末を呼び出してグループ通話を開始することを特徴とするプレゼンス情報提供方法。
【請求項１２】
ユーザの端末および／またはグループ通話主催者の端末がパケット通信網経由で前記グループ通話開始条件記憶手段へアクセスして前記グループ通話開始条件表を編集することを特徴とする請求項１１記載のプレゼンス情報提供方法。
【請求項１３】
前記プレゼンス状態管理手段は、ユーザの端末からのプレゼンス状態変更の通知をトリガーにして、前記プレゼンス状態管理表と前記グループ通話開始条件表を照会することを特徴とする請求項１１または１２記載のプレゼンス情報提供方法。
【請求項１４】
前記プレゼンス状態管理手段が、前記プレゼンス状態管理表と前記グループ通話開始条件表を照会する際に、グループ通話発信対象の条件に当てはまるユーザを選定し、前記グループ通話開始指示信号に前記グループ通話発信対象ユーザの情報を含ませて送信することを特徴とする請求項１１から１３のいずれか１項に記載のプレゼンス情報提供方法。
【請求項１５】
前記グループ通話開始条件表にグループ通話開始時刻を設定し、グループ通話開始時刻になると前記グループ通話開始条件記憶手段が、プレゼンス状態管理手段へグループ通話開始条件を満たしたことを通知することを特徴とする請求項１１、１２または１４記載のプレゼンス情報提供方法。
【請求項１６】
各グループメンバのプレゼンス状態がどのような組み合わせになったときに自動的にプレゼンスサービスを開始するかの条件を記憶する前記プレゼンスサービス開始条件表を有する前記プレゼンスサービス開始条件記憶手段を備え、
各ユーザのプレゼンス状態を管理するプレゼンス状態管理表を有し、プレゼンス状態を受信して前記プレゼンス状態管理表に反映し、前記プレゼンス状態管理表と前記プレゼンスサービス開始条件記憶手段が有するプレゼンスサービス開始条件表を照会して自動でのプレゼンスサービス開始条件を満たした場合、プレゼンスサービスの対象となるユーザの端末においてプレゼンスサービスを開始することを特徴とするプレゼンスサーバ。
【請求項１７】
グループ通話中に発言ユーザの端末から音声を受信して非発言ユーザの端末へ送信するグループ通話制御手段と、
各グループメンバのプレゼンス状態がどのような組み合わせになったときに自動的にグループ通話を開始するかの条件を記憶する前記グループ通話開始条件表を有する前記グループ通話開始条件記憶手段と、
各ユーザのプレゼンス状態を管理するプレゼンス状態管理表を有し、プレゼンス状態を受信して前記プレゼンス状態管理表に反映し、前記プレゼンス状態管理表と前記グループ通話開始条件記憶手段が有するグループ通話開始条件表を照会して自動でのグループ通話開始条件を満たした場合、前記グループ通話制御手段へグループ通話開始指示信号を送信する前記プレゼンス状態管理手段と、を備え、
前記グループ通話制御手段は、前記プレゼンス状態管理手段からグループ通話開始指示信号を受信するとグループ通話発信対象となるユーザの端末を呼び出してグループ通話を開始することを特徴とするプレゼンスサーバ。
【請求項１８】
前記プレゼンス状態管理手段は、プレゼンス状態変更の通知をトリガーにして、前記プレゼンス状態管理表と前記グループ通話開始条件表を照会することを特徴とする請求項１７記載のプレゼンスサーバ。
【請求項１９】
前記プレゼンス状態管理手段が、前記プレゼンス状態管理表と前記グループ通話開始条件表を照会する際に、グループ通話発信対象の条件に当てはまるユーザを選定し、前記グループ通話開始指示信号に前記グループ通話発信対象ユーザの情報を含ませて送信することを特徴とする請求項１７または１８記載のプレゼンスサーバ。
【請求項２０】
前記グループ通話開始条件表にグループ通話開始時刻を設定し、グループ通話開始時刻になると前記グループ通話開始条件記憶手段が、プレゼンス状態管理手段へグループ通話開始条件を満たしたことを通知することを特徴とする請求項１７または１９記載のプレゼンスサーバ。
【発明の詳細な説明】
【技術分野】
【０００１】
本発明は、プレゼンスサービスにおけるプレゼンス情報提供システム、その方法、およびプレゼンスサーバに関する。
【背景技術】
【０００２】
プレゼンスサービスの利用形態としてのグループ通話等では、例えば、インスタントメッセージングサービスおよびＰｕｓｈ−Ｔｏ−Ｔａｌｋサービス等において、通信相手に話しかける際に、まず一のユーザが、通信相手となる他のユーザの状態を確認することが必要であり、その通信相手となるユーザの状態を確認するために利用されている。
【０００３】
なお、以下の説明においてプレゼンスサービスの「プレゼンス情報」とは、機器の状態あるいは機器のユーザの状態を表す情報であり、例えば、機器がネットワークに接続されているか否かを表す「オンライン」および「オフライン」や、通信機器のユーザが直ちに応答できるか否かを表す「応答可」および「応答不可」等の情報である。用語の意味に疑義が生じた場合には、基本的にＩＥＴＦ(Internet Engineering Task Force)が公開しているＲＦＣ２７７８：「Ａ  Ｍｏｄｅｌ  ｆｏｒＰｒｅｓｅｎｃｅ  ａｎｄ  Ｉｎｓｔａｎｔ  Ｍｅｓｓａｇｉｎｇ」で定義されている意味に従うが、それに限定されるものではない。
【０００４】
近年、Ａｍｅｒｉｃａｎｎ  Ｏｎｌｉｎｅ、Ｍｉｃｒｏｓｏｆｔ  Ｍｅｓｓｅｎｇｅｒ等のインスタントメッセージングサービスの拡大により、ネットワークを使ったリアルタイムなメッセージの授受が可能となっている。離れていながらも、通信ネットワークを利用して会話（以下チャットと記す）を楽しめるサービスが広がっている。このサービスは、インターネットを介した固定網のみならず、移動体通信網においても広がっている。
【０００５】
このようなインスタントメッセージングサービスにおいては、各ユーザがユーザ端末によりサーバにグループメンバとして登録すると、各ユーザは、そのユーザ端末によりサーバにアクセスしたときに他ユーザのプレゼンス情報を参照することができる。
【０００６】
ここで、特定ユーザのプレゼンス情報が通信可能を表すときに、チャット開始イベントを発生し、複数のユーザ端末間でチャットを同時に開始させる技術が提案されている（例えば、特許文献１参照）。
【特許文献１】特開２００４−１０２５４７号公報
【発明の開示】
【発明が解決しようとする課題】
【０００７】
しかしながら、上述した従来例においては次のような問題点があった。
【０００８】
これまでのグループ通話等のプレゼンスサービスにおいてはグループメンバの一人がグループ通話を開始する仕組みとなっており、各グループメンバのプレゼンス状態の組み合わせをトリガーにしてプレゼンスサービスを開始する仕組みが無かったため、グループ通話等のプレゼンスサービスにおいて、各グループメンバのプレゼンス状態の組み合わせがプレゼンスサービスを開始したい組み合わせ状態となっても、グループメンバが前記組み合わせ状態に気付かずプレゼンスサービスが開始されない場合があるという問題点があった。
【０００９】
そこで、本発明は、グループメンバのプレゼンス状態の組み合わせをトリガーにしてプレゼンスサービスを開始することができるプレゼンス情報提供システム、その方法、およびプレゼンスサーバを提供することを目的とする。
【課題を解決するための手段】
【００１０】
請求項１記載の発明は、複数の端末と、ネットワークを介して接続されているプレゼンスサーバを含むプレゼンス情報提供システムであって、端末は、ユーザのプレゼンス状態をプレゼンスサーバのプレゼンス状態管理手段へ送信する送信手段と、プレゼンスサーバのプレゼンスサービス開始条件記憶手段のプレゼンスサービス開始条件表を編集して各グループメンバのプレゼンス状態がいかなる組み合わせになったときに自動的にプレゼンスサービスを開始するかの条件を設定する条件設定手段とを備え、プレゼンスサーバは、各グループメンバのプレゼンス状態がどのような組み合わせになったときに自動的にプレゼンスサービスを開始するかの条件を記憶するプレゼンスサービス開始条件表を有するプレゼンスサービス開始条件記憶手段を備え、各ユーザのプレゼンス状態を管理するプレゼンス状態管理表を有し、各端末からプレゼンス状態を受信してプレゼンス状態管理表に反映し、プレゼンス状態管理表とプレゼンスサービス開始条件記憶手段が有するプレゼンスサービス開始条件表を照会して自動でのプレゼンスサービス開始条件を満たした場合、プレゼンスサービスの対象となるユーザの端末においてプレゼンスサービスを開始することを特徴とするプレゼンス情報提供システムである。
【００１１】
請求項２記載の発明は、請求項１記載のプレゼンス情報提供システムにおいて、ユーザの端末および／またはグループ通話主催者の端末がパケット通信網経由でプレゼンスサービス開始条件記憶手段へアクセスしてプレゼンスサービス開始条件表を編集する。
【００１２】
請求項３記載の発明は、請求項１または２記載のプレゼンス情報提供システムにおいて、プレゼンス状態管理手段は、ユーザの端末からのプレゼンス状態変更の通知をトリガーにして、プレゼンス状態管理表とプレゼンスサービス開始条件表を照会する。
【００１３】
請求項４記載の発明は、請求項１から３のいずれか１項に記載のプレゼンス情報提供システムにおいて、プレゼンスサービス開始条件表にプレゼンスサービス開始時刻を設定し、プレゼンスサービス開始時刻になるとプレゼンスサービス開始条件記憶手段が、プレゼンス状態管理手段へプレゼンスサービス開始条件を満たしたことを通知する。
【００１４】
請求項５記載の発明は、複数の端末と、ネットワークを介して接続されているプレゼンスサーバを含むプレゼンス情報提供システムであって、端末は、ユーザのプレゼンス状態をプレゼンスサーバのプレゼンス状態管理手段へ送信する送信手段と、プレゼンスサーバのグループ通話開始条件記憶手段のグループ通話開始条件表を編集して各グループメンバのプレゼンス状態がいかなる組み合わせになったときに自動的にグループ通話を開始するかの条件を設定する条件設定手段とを備え、プレゼンスサーバは、グループ通話中に発言ユーザの端末から音声を受信して非発言ユーザの端末へ送信するグループ通話制御手段と、各グループメンバのプレゼンス状態がどのような組み合わせになったときに自動的にグループ通話を開始するかの条件を記憶するグループ通話開始条件表を有するグループ通話開始条件記憶手段と、各ユーザのプレゼンス状態を管理するプレゼンス状態管理表を有し、各端末からプレゼンス状態を受信してプレゼンス状態管理表に反映し、プレゼンス状態管理表とグループ通話開始条件記憶手段が有するグループ通話開始条件表を照会して自動でのグループ通話開始条件を満たした場合、グループ通話制御手段へグループ通話開始指示信号を送信するプレゼンス状態管理手段とを備え、グループ通話制御手段は、プレゼンス状態管理手段からグループ通話開始指示信号を受信するとグループ通話発信対象となるユーザの端末を呼び出してグループ通話を開始することを特徴とするプレゼンス情報提供システムである。
【００１５】
請求項６記載の発明は、請求項５記載のプレゼンス情報提供システムにおいて、ユーザの端末および／またはグループ通話主催者の端末がパケット通信網経由でグループ通話開始条件記憶手段へアクセスしてグループ通話開始条件表を編集する。
【００１６】
請求項７記載の発明は、請求項５または６記載のプレゼンス情報提供方法において、プレゼンス状態管理手段は、ユーザの端末からのプレゼンス状態変更の通知をトリガーにして、プレゼンス状態管理表とグループ通話開始条件表を照会する。
【００１７】
請求項８記載の発明は、請求項５から７のいずれか１項に記載のプレゼンス情報提供システムにおいて、プレゼンス状態管理手段が、プレゼンス状態管理表とグループ通話開始条件表を照会する際に、グループ通話発信対象の条件に当てはまるユーザを選定し、グループ通話開始指示信号にグループ通話発信対象ユーザの情報を含ませて送信する。
【００１８】
請求項９記載の発明は、請求項５、６または８記載のプレゼンス情報提供システムにおいて、グループ通話開始条件表にグループ通話開始時刻を設定し、グループ通話開始時刻になるとグループ通話開始条件記憶手段が、プレゼンス状態管理手段へグループ通話開始条件を満たしたことを通知する。
【００１９】
請求項１０記載の発明は、複数の端末と、ネットワークを介して接続されているプレゼンスサーバを利用したプレゼンス情報提供方法であって、端末が、送信手段によって、ユーザのプレゼンス状態をプレゼンスサーバのプレゼンス状態管理手段へ送信するステップと、条件設定手段によって、プレゼンスサーバのプレゼンスサービス開始条件記憶手段のプレゼンスサービス開始条件表を編集して各グループメンバのプレゼンス状態がいかなる組み合わせになったときに自動的にプレゼンスサービスを開始するかの条件を設定するステップとを有し、プレゼンスサーバが、プレゼンスサービス開始条件記憶手段によって、各グループメンバのプレゼンス状態がどのような組み合わせになったときに自動的にグループ通話を開始するかの条件をプレゼンスサービス開始条件表に記憶するステップを有し、プレゼンスサーバが、プレゼンス状態管理手段によって、各端末からプレゼンス状態を受信して各ユーザのプレゼンス状態を管理するプレゼンス状態管理表に反映し、プレゼンス状態管理表とプレゼンスサービス開始条件記憶手段が有するプレゼンスサービス開始条件表を照会して自動でのプレゼンスサービス開始条件を満たした場合、プレゼンスサービスの対象となるユーザの端末においてプレゼンスサービスを開始することを特徴とするプレゼンス情報提供方法である。
【００２０】
請求項１１記載の発明は、複数の端末と、ネットワークを介して接続されているプレゼンスサーバを利用したプレゼンス情報提供方法であって、端末が、送信手段によって、ユーザのプレゼンス状態をプレゼンスサーバのプレゼンス状態管理手段へ送信するステップと、条件設定手段によって、プレゼンスサーバのグループ通話開始条件記憶手段のグループ通話開始条件表を編集して各グループメンバのプレゼンス状態がいかなる組み合わせになったときに自動的にグループ通話を開始するかの条件を設定するステップとを有し、プレゼンスサーバが、グループ通話開始条件記憶手段によって、各グループメンバのプレゼンス状態がどのような組み合わせになったときに自動的にグループ通話を開始するかの条件をグループ通話開始条件表に記憶するステップと、プレゼンス状態管理手段によって、各端末からプレゼンス状態を受信して各ユーザのプレゼンス状態を管理するプレゼンス状態管理表に反映し、プレゼンス状態管理表とグループ通話開始条件記憶手段が有するグループ通話開始条件表を照会して自動でのグループ通話開始条件を満たした場合、グループ通話制御手段へグループ通話開始指示信号を送信するステップとを有し、グループ通話制御手段は、プレゼンス状態管理手段からグループ通話開始指示信号を受信するとグループ通話発信対象となるユーザの端末を呼び出してグループ通話を開始することを特徴とするプレゼンス情報提供方法である。
【００２１】
請求項１２記載の発明は、請求項１１記載のプレゼンスサーバにおいて、ユーザの端末および／またはグループ通話主催者の端末がパケット通信網経由でグループ通話開始条件記憶手段へアクセスしてグループ通話開始条件表を編集する。
【００２２】
請求項１３記載の発明は、請求項１１または１２記載のプレゼンスサーバにおいて、プレゼンス状態管理手段は、ユーザの端末からのプレゼンス状態変更の通知をトリガーにして、プレゼンス状態管理表とグループ通話開始条件表を照会する。
【００２３】
請求項１４記載の発明は、請求項１１または１３記載のプレゼンスサーバにおいて、プレゼンス状態管理手段が、プレゼンス状態管理表とグループ通話開始条件表を照会する際に、グループ通話発信対象の条件に当てはまるユーザを選定し、グループ通話開始指示信号にグループ通話発信対象ユーザの情報を含ませて送信する。
【００２４】
請求項１５記載の発明は、請求項１１、１２または１４記載のプレゼンス情報提供方法において、グループ通話開始条件表にグループ通話開始時刻を設定し、グループ通話開始時刻になるとグループ通話開始条件記憶手段が、プレゼンス状態管理手段へグループ通話開始条件を満たしたことを通知する。
【００２５】
請求項１６記載の発明は、各グループメンバのプレゼンス状態がどのような組み合わせになったときに自動的にプレゼンスサービスを開始するかの条件を記憶するプレゼンスサービス開始条件表を有するプレゼンスサービス開始条件記憶手段を備え、各ユーザのプレゼンス状態を管理するプレゼンス状態管理表を有し、プレゼンス状態を受信してプレゼンス状態管理表に反映し、プレゼンス状態管理表とプレゼンスサービス開始条件記憶手段が有するプレゼンスサービス開始条件表を照会して自動でのプレゼンスサービス開始条件を満たした場合、プレゼンスサービスの対象となるユーザの端末においてプレゼンスサービスを開始することを特徴とするプレゼンスサーバである。
【００２６】
請求項１７記載の発明は、グループ通話中に発言ユーザの端末から音声を受信して非発言ユーザの端末へ送信するグループ通話制御手段と、各グループメンバのプレゼンス状態がどのような組み合わせになったときに自動的にグループ通話を開始するかの条件を記憶するグループ通話開始条件表を有するグループ通話開始条件記憶手段と、各ユーザのプレゼンス状態を管理するプレゼンス状態管理表を有し、プレゼンス状態を受信してプレゼンス状態管理表に反映し、プレゼンス状態管理表とグループ通話開始条件記憶手段が有するグループ通話開始条件表を照会して自動でのグループ通話開始条件を満たした場合、グループ通話制御手段へグループ通話開始指示信号を送信するプレゼンス状態管理手段とを備え、グループ通話制御手段は、プレゼンス状態管理手段からグループ通話開始指示信号を受信するとグループ通話発信対象となるユーザの端末を呼び出してグループ通話を開始することを特徴とするプレゼンスサーバである。
【００２７】
請求項１８記載の発明は、請求項１７記載のプレゼンスサーバにおいて、プレゼンス状態管理手段は、プレゼンス状態変更の通知をトリガーにして、プレゼンス状態管理表とグループ通話開始条件表を照会する。
【００２８】
請求項１９記載の発明は、請求項１７または１８記載のプレゼンスサーバにおいて、プレゼンス状態管理手段が、プレゼンス状態管理表とグループ通話開始条件表を照会する際に、グループ通話発信対象の条件に当てはまるユーザを選定し、グループ通話開始指示信号にグループ通話発信対象ユーザの情報を含ませて送信する。
【００２９】
請求項２０記載の発明は、請求項１７または１９記載のプレゼンスサーバにおいて、グループ通話開始条件表にグループ通話開始時刻を設定し、グループ通話開始時刻になるとグループ通話開始条件記憶手段が、プレゼンス状態管理手段へグループ通話開始条件を満たしたことを通知する。
【発明の効果】
【００３０】
本発明のプレゼンス情報提供システム、その方法およびプレゼンスサーバによれば、グループメンバのプレゼンス状態の組み合わせをトリガーにしてプレゼンスサービスを開始することができる。
【発明を実施するための最良の形態】
【００３１】
次に、本発明の一実施の形態の構成について図面を参照して説明する。なお、グループメンバのプレゼンス状態の組み合わせをトリガーにして開始されるプレゼンスサービスには、端末のアプリケーション起動、電子メール送受信、チャット開始等の種々のものが含まれるが、以下では、一例としてグループ通話の開始に関して詳細に述べる。
【００３２】
図１を参照すると、本実施の形態におけるプレゼンス情報提供システムは、端末１０ａ〜１０ｃと、プレゼンスサーバ２０から構成されており、パケット通信網１００および移動通信網２００を介して接続されている。なお、通信方法は、有線であっても、無線であってもよい。
【００３３】
端末１０ａ〜ｃは、ユーザがグループ通話を実施するために使用する情報処理装置である。例えば、携帯電話機、ＰＤＡ（Personal Digital Assistant）、ノート型パソコン等である。
【００３４】
プレゼンスサーバ２０のグループ通話制御部２３からのグループ通話開始の呼び出しに対して端末１０が応答すると、グループ通話が開始される。グループ通話が開始されると各ユーザの端末１０とプレゼンスサーバ２０のグループ通話制御部２３が接続され、ユーザの端末１０からの音声はプレゼンスサーバ２０のグループ通話制御部２３を介して他のユーザの端末１０へ送信される。
【００３５】
また、端末１０は、パケット通信網１００を介して、現在の場所、状態、体調等のプレゼンス状態をプレゼンスサーバ２０のプレゼンス状態管理部２１へ送信する機能を有している。
【００３６】
また、端末１０は、パケット通信網１００を介して、グループ通話開始条件記憶部２２のグループ通話開始条件表２２１を編集し、各グループメンバのプレゼンス状態がいかなる組合せになったときに自動的にグループ通話を開始するかの条件を設定する機能を有している。
【００３７】
プレゼンスサーバ２０は、プレゼンス状態管理部２１、グループ通話開始条件記憶部２２およびグループ通話制御部２３を備える、例えば、ワークステーション等の情報処理装置である。
【００３８】
プレゼンス状態管理部２１は、プレゼンス状態管理部は、各端末１０からパケット通信網１００を介してプレゼンス状態を受信し、プレゼンス状態管理表２１１に反映する機能を有している。ここで、プレゼンス状態管理表２１１は、各ユーザの場所、状態、体調等のプレゼンス状態を管理するものであり、データベース上のテーブルによって構成されてもよい。
【００３９】
グループ通話開始条件記憶部２２は、グループ通話開始条件表２２１を、パケット通信網１００を介する端末１０からの情報によって編集する機能を有している。ここで、グループ通話開始条件表２２１は、各グループメンバのプレゼンス状態がいかなる組合せになったときに自動的にグループ通話を開始するかの条件を保持するものであり、データベース上のテーブルによって構成されてもよい。
【００４０】
図３を参照して、詳細に説明すると、グループ通話を開始する前に予め、ユーザは端末１０からパケット通信網１００を介してグループ通話開始条件記憶部２２が備えるグループ通話開始条件表２２１を編集する。まず、条件１では、ユーザＡが祖父であり、ユーザＢおよびユーザＣがそのユーザＡの家族であるという状況を想定している。家族であるユーザＢおよびユーザＣが外出時に祖父であるユーザＡが、一人で自宅において体調不良になった場合に、グループメンバ全員でグループ通話を自動的に開始するような設定である。上記のような危機的状況の場合に、自動的に家族全員でのグループ通話により連絡を取り合うことが可能となり、安心して生活を送ることができる。
【００４１】
条件２では、ユーザＡ、ユーザＢおよびユーザＣは、会社員であり、ＡＭ１０：００からグループ通話による会議を開催する状況を想定している。予め決められた会議時間であるＡＭ１０：００になると、「プレゼンス状態＝仕事中」のグループメンバ全員に対してグループ通話の呼び出しがかかる。なお、その際には、休暇中や異なる会議に参加しているグループメンバは呼び出されない。
【００４２】
条件３では、ユーザＡ、ユーザＢおよびユーザＣは、友達同士のグループであり、「渋谷」近くにいて、仕事等でなく自由時間である友達が複数人集まっている状態が発生するとグループ通話を開始することを想定している。
【００４３】
グループ通話制御部２３は、移動通信網２００を介して端末１０と接続され、グループ通話中に発言ユーザの端末１０から音声を受信し非発言ユーザの端末１０へ送信する機能を有している。
【００４４】
パケット通信網１００は、端末１０からプレゼンス状態管理部２１へ送信する各ユーザのプレゼンス状態を中継する。また、各ユーザが端末からグループ通話開始条件記憶部２２のグループ通話開始条件表を編集する際の通信を中継する。
【００４５】
移動通信網２００は、端末１０とプレゼンスサーバ２０を接続するネットワークである。特に、プレゼンスサーバ２０のグループ通話制御部２３が端末１０と通信を行う際に、用いられる。
【００４６】
次に、図２〜図４を参照して、本実施の形態における、グループメンバのプレゼンス状態の組み合わせをトリガーにしてグループ通話を開始する処理のフローを図５のフローチャートに基づいて詳細に説明する。
【００４７】
まず、ユーザは、自分のプレゼンス状態を端末１０からパケット通信網１００を介して、プレゼンスサーバ２０のプレゼンス状態管理部２１に対して通知する（ステップＳ５０１）。この、プレゼンス状態の通知は、任意のタイミングで自動的に行なわれても、継続的に行なわれても、手動で行なわれてもいずれでもよい。
【００４８】
プレゼンスサーバ２０のプレゼンス状態管理部２１は、受け付けたプレゼンス状態の情報をプレゼンス状態管理表２１１へ反映する（ステップＳ５０２）。なお、ユーザのプレゼンス状態に変更があると、変更されたプレゼンス状態が端末１０からパケット通信網１００を介してプレゼンスサーバ２０のプレゼンス状態管理部２１に通知されることにより、プレゼンス状態管理表２１１は、常に各ユーザの現在のプレゼンス状態を保持することが可能となる。
【００４９】
次に、プレゼンスサーバ２０のプレゼンス状態管理部２１は、プレゼンス状態管理表２１１とプレゼンスサーバ２０のグループ通話開始条件記憶部２２が備えるグループ通話開始条件表２２１を照会し（ステップＳ５０３）、上記ユーザのプレゼンス状態変更により自動でのグループ通話開始条件を満たすか否かを確認する（ステップＳ５０４）。なお、グループ通話開始条件記憶部２２は、ハードディスク上に設けられる所定のデータベースにより構成されてもよい。
【００５０】
上記のプレゼンスサーバ２０のプレゼンス状態管理部２１による照会の結果、グループ通話開始条件を満たさない場合（ステップＳ５０４／Ｎｏ）、プレゼンス状態組み合わせからのグループ通話開始は行われず、端末１０からの次のプレゼンス状態の変更の通知を待ち受ける。
【００５１】
一方、上記のプレゼンスサーバ２０のプレゼンス状態管理部２１による照会の結果、グループ通話開始条件を満たした場合（ステップＳ５０４／Ｙｅｓ）、プレゼンス状態組み合わせからのグループ通話が開始される。
【００５２】
すなわち、まず、プレゼンスサーバ２０のプレゼンス状態管理部２１は、グループ通話制御部２３へグループ通話開始指示信号を送信する（ステップＳ５０５）。ここで、上記のグループ通話開始指示信号には、グループ通話発信対象ユーザの情報が含まれている。なお、グループ通話発信対象ユーザは、プレゼンスサーバ２０のプレゼンス状態管理部２１がプレゼンス状態管理表２１１を参照して、グループ通話開始条件表２２１に格納されているグループ通話発信対象の条件に該当するユーザを選択することにより決定される。
【００５３】
そして、プレゼンスサーバ２０のグループ通話制御部２３は、プレゼンスサーバ２０のプレゼンス状態管理部２１からグループ通話開始指示信号を受信すると、グループ通話開始指示信号に含まれているグループ通話発信対象ユーザの端末１０に対して、移動通信網２００を介して、グループ通話発信を行ない、端末１０を着信鳴動させる（ステップＳ５０６）。なお、移動通信網は、任意のネットワークにより構成されていてもよい。
【００５４】
上記着信に対して、各ユーザが端末１０のオフフックボタンを押下することにより着呼すると、グループ通話が開始される（ステップＳ５０７）。
【００５５】
また、他の実施の形態として、上記の実施の形態において、プレゼンスサーバ２０のプレゼンス状態管理部２１が、端末１０からプレゼンス状態変更を受信したことを契機として、プレゼンスサーバ２０のグループ通話開始条件記憶部２２のグループ通話開始条件表２２１を参照してグループ通話開始条件を満たすか否かを判定する代わりに、グループ通話開始条件記憶部２２が、所定のタイミングでグループ通話開始条件を満たすか否かを判定することとしてもよい。例えば、図３を参照すると、条件２において、予め決められた会議時間のＡＭ１０：００になると、プレゼンスサーバ２０のグループ通話開始条件記憶部２２が、グループ通話開始条件を満たすか否かを判定し、プレゼンスサーバ２０のプレゼンス状態管理部２１へ通知し、その通知を受信したプレゼンスサーバ２０のプレゼンス状態管理部２１は、プレゼンスサーバ２０のグループ通話制御部２３へグループ通話開始指示信号を送信することであってもよい。なお、以降の動作は上記の実施の形態と同様であるため重複する説明は省略する。
【００５６】
また、他の実施の形態として、ユーザが端末１０からパケット通信網１００を経由して、プレゼンスサーバ２０のグループ通話開始条件記憶部２２のグループ通話開始条件表２２１を編集する代わりに、グループ通話主催者等がインターネット経由でパーソナルコンピュータ等によりプレゼンスサーバ２０のグループ通話開始条件記憶部２２にアクセスしてグループ通話開始条件表２２１を編集する構成であってもよい。
【００５７】
なお、上述した各実施の形態は、本発明の好適な実施の形態であり、本発明の要旨を逸脱しない範囲内において種々変更実施が可能である。例えば、上記の実施の形態における端末１０、プレゼンスサーバ２０の機能を実現するためのプログラムを各装置に読込ませて実行することにより本システムの機能を実現する処理を行ってもよい。さらに、そのプログラムは、コンピュータ読み取り可能な記録媒体であるＣＤ−ＲＯＭ、光磁気ディスク等を介して、または伝送媒体であるインターネット、電話回線等を介して伝送波により他のコンピュータシステムに伝送されてもよい。
【００５８】
上述した各実施の形態は、プレゼンスサーバ２０のが１個の装置として接続されているシステム構成について説明したが、各機能毎に複数のサーバ装置等が追加された構成にも適用可能であることはもちろんである。
【図面の簡単な説明】
【００５９】
【図１】本発明の実施形態におけるプレゼンス情報提供システムの概略構成を示す図である。
【図２】プレゼンス状態管理表の一例を示す図である。
【図３】グループ通話開始条件表の一例を示す図である。
【図４】プレゼンス情報提供システムにおける信号の流れを示す図である。
【図５】プレゼンス状態に基づいてグループ通話を開始する処理動作を説明するフローチャートである。
【符号の説明】
【００６０】
１０ａ〜ｃ    端末
２０    プレゼンスサーバ
２１    プレゼンス状態管理部
２１１    プレゼンス状態管理表
２２    グループ通話開始条件記憶部
２２１    グループ通話開始条件表
１００    パケット通信網
２００    移動通信網
【図１】
2006119885.tif 000003
【図２】
2006119885.tif 000004
【図３】
2006119885.tif 000005
【図４】
2006119885.tif 000006
【図５】
2006119885.tif 000007